(57)【要約】【課題】ボールやロープや防御マスクなどの対象物を加工することなく、また、対象物の機能を損なうことなく対象物が発光または発色するように見せることができるようにする。【解決手段】ボール（対象物）１に着脱可能に外付け装着されるボールカバー２を備える。ボールカバー２には、ボール１に加わった衝撃力の大きさを検出するためのセンサー４と、複数の側面発光ケーブル５と、センサー４の出力信号に基づいて演算処理を行い、その演算処理の結果に応じて側面発光ケーブル５の発光を制御するセンターユニット３とを設けた。ボールカバー２を普通のボール１に装着することにより、ボール１に加わった衝撃力の大きさに応じて、ボール１が発光または変色するように見えるようにすることができる。ボールカバー２を取り外せば、ボール１を元の普通のボールの状態に戻すことができる。【選択図】        図１
2005152619.tif 000002
【特許請求の範囲】
【請求項１】
対象物に着脱可能に装着される装置本体を備え、
前記装置本体には、
前記対象物に加わった力の大きさを検出するためのセンサーと、
１乃至複数の発光素子と、
前記センサーの出力信号に基づいて所定の演算を行い、その演算結果に応じて前記発光素子を駆動・制御する制御ユニットと、が設けられており、
前記発光素子を発光または変色させることにより前記対象物が発光または変色したように見せるように構成したことを特徴とする外装装置。
【請求項２】
前記装置本体には、表示装置が設けられており、
前記制御ユニットは、
前記センサーの出力信号に基づいて前記対象物に衝突した物体の速度を演算し、その演算結果に応じて前記発光素子を駆動・制御するとともに前記表示装置に算出した速度を表示させることを特徴とする請求項１の外装装置。
【請求項３】
対象物に着脱可能に装着される装置本体を備え、
前記装置本体には、
前記対象物またはその近傍に向かって飛んで来る物体の速度を検出するためのセンサーと、
１乃至複数の発光体と、
前記センサーの出力信号に基づいて前記物体の速度を演算し、その演算結果に応じて前記発光体を駆動・制御する制御ユニットと、が設けられており、
前記発光体を発光または変色させることにより前記対象物が発光または変色したように見せるように構成したことを特徴とする外装装置。
【請求項４】
前記装置本体には、表示装置が設けられており、
前記制御ユニットは、
前記センサーの出力信号に基づいて前記物体の速度を演算し、その演算結果に応じて前記発光体を駆動・制御するとともに前記表示装置に算出した速度を表示させることを特徴とする請求項３の外装装置。
【請求項５】
前記対象物は、ボール、グローブ、またはロープであることを特徴とする請求項１の外装装置。
【請求項６】
前記対象物は、グローブまたは捕手用防護マスクであることを特徴とする請求項２、３または４の外装装置。
【請求項７】
前記発光体は、
前記装置本体の一部を構成していることを特徴とする請求項１〜６のいずれかの外装装置。
【請求項８】
前記演算結果を前記対象物のＩＤ情報とともに外部の装置に送信する送信回路を備えたことを特徴とする請求項１〜７のいずれかの外装装置。
【発明の詳細な説明】
【技術分野】
【０００１】
この発明は、ボール、グローブ、捕手用防護マスク、ロープ等の対象物に装着される外装装置に関し、より詳細には、対象物に加わった力（衝撃力、張力など）の大きさに応じて、その対象物が発光または変色したように見せる外装装置に関する。また、グローブ、捕手用防護マスクなどの対象物またはその近傍に向かって飛んで来る物体（たとえばボール）の速度に応じて、その対象物が発光または変色したように見えるようにする外装装置に関する。
【背景技術】
【０００２】
発光機能を備えた靴、ボール、ロープの類は、すでに多数提案されている。たとえば、靴やボールに衝撃感知素子を内蔵するとともに外面に発光素子を設け、衝撃感知素子により感知した衝撃に応じて発光素子を発光させるようにしたもの（特許文献１）、靴に圧電発電器と充電池とを内蔵するとともに外面に発光素子を設け、圧電発電器により発電した電力を充電池に蓄電しつつ、その充電池からの電力によって発光素子を発光させるようにしたもの（特許文献２）、中実のボールの中に衝撃または無線信号によって発光する発光装置を内蔵してボールを見つけ易くしたもの（特許文献３）、縄跳びのロープの中に発光体を設けたもの（特許文献４）、などが知られている。
【０００３】
また、球速測定機能を備えた野球関連装置として、ボールを捕捉する人の腕やグローブにドップラー・レーダー・センサーを装着して、飛んで来るボールの速度をドップラ効果を利用して測定するようにしたものが知られている（特許文献５）。
しかし、上記文献１〜４記載の発光機能を備えた靴、ボール、ロープの類は、衝撃感知素子や圧電発電器、発光素子などを当初から構成要素として備えた製品（光る靴、光るボール、光るロープといった特殊な製品）として提供されるものであり、加わった力の大きさに応じて発光または変色する機能や飛来物体の速度を表示する機能を、一般の製品（発光機能や速度表示機能などの特殊機能を持たない普通の製品）に後付けで持たせることはできない。上記文献５記載の装置も、球速に応じて発光または変色する機能を普通のグローブや捕手用防護マスクに後付けで持たせることはできない。
【特許文献１】特開平５−２２８００２号公報
【特許文献２】特開２００１−２０４５０７号公報
【特許文献３】特表２００２−５２２１３０号公報
【特許文献４】特開２００２−７５７号公報
【特許文献５】特表２０００−５０９８１５号公報
【発明の開示】
【発明が解決しようとする課題】
【０００４】
本発明が解決しようとする課題は、対象物に装着することにより、その対象物に加わった力の大きさや、その対象物またはその近傍に向かって飛んで来る物体の速度に応じて、その対象物が発光または変色するように見えるようにすることができる外装装置を提供することにある。すなわち、加わった力の大きさや飛来物体の速度に応じて発光または変色する機能を、この種の機能を持たない物品に後付けで持たせることができる外装装置を提供することにある。さらに、飛来物体の速度表示機能を、この種の機能を持たない物品に後付けで持たせることができる外装装置を提供することを課題とする。
【課題を解決するための手段】
【０００５】
上記課題を解決するために、請求項１の外装装置は、対象物に着脱可能に装着される装置本体（対象物にその全体または一部を覆うようにして装着されるカバー（網状またはシート状の被服体）、対象物にその全体またはその一部の部品を収容するようにして装着されるケース、袋体、などを含む。以下同様。）を備え、前記装置本体には、前記対象物に加わった力（衝撃力、張力、等）の大きさを検出するためのセンサーと、１乃至複数の発光体と、前記センサーの出力信号に基づいて演算処理を行い、その演算処理の結果に応じて前記発光体を駆動・制御する制御ユニットとが設けられており、前記発光素子を発光または変色させることにより前記対象物が発光または変色したように見せるように構成したことを特徴としている。前記発光体としては、たとえば、側面発光ケーブル（ＬＥＤやＬＤなどの発光素子からの出射光を導波しつつ側面から放出するケーブル状、チューブ状、またはファイバ状の光導波路）や、有機ＥＬ素子等の面発光デバイスを使用する（以下同様）。前記センサーとしては、たとえば、圧力センサー、歪センサー、音圧センサー、加速度センサー、等が用いられる。
【０００６】
上記のように構成された請求項１の外装装置によれば、これを対象物に装着することにより、その対象物に加わった力の大きさに応じて、その対象物が発光または変色するように見えるようにすることができる。外装装置を取り外せば、対象物を元の状態に戻すことができる。たとえば、野球のグローブを対象物としてこの外装装置を装着することにより、ボール補給時に加わった衝撃力の大きさに応じて発光または変色するグローブを実現できる。外装装置を取り外せば、普通のグローブに戻すことができる。
【０００７】
また、請求項２の外装装置は、請求項１の外装装置において、前記装置本体には、表示装置が設けられており、前記制御ユニットは、前記センサーの出力信号に基づいて前記対象物に衝突した物体の速度を演算し、その演算処理の結果に応じて前記発光素子を駆動・制御するとともに前記表示装置に算出した速度またはその速度を表示させることを特徴としている。
【０００８】
上記のように構成された請求項２の外装装置によれば、これを対象物に装着することにより、上記の発光または変色機能に加え、衝突した物体の速度を表示する機能をその対象物に持たせることができる。たとえば、野球のグローブを対象物としてこの外装装置を装着することにより、補給したボール（衝突した物体）の速度を表示する機能をグローブに持たせることができる。
【０００９】
また、請求項３の外装装置は、対象物に着脱可能に装着される装置本体を備え、前記装置本体には、前記対象物またはその近傍に向かって飛んで来る物体の速度を検出するためのセンサーと、１乃至複数の発光体と、前記センサーの出力信号に基づいて前記物体の速度を演算し、その演算結果に応じて前記発光素子を駆動・制御する制御ユニットとが設けられており、前記発光体を発光または変色させることにより前記対象物が発光または変色したように見せるように構成したことを特徴としている。前記センサーとしては、たとえば、光ドップラー・レーダー・センサー、超音波ドップラー・レーダー・センサー、等が用いられる。
【００１０】
上記のように構成された請求項３の外装装置によれば、これを対象物に装着することにより、その対象物またはその近傍に向かって飛んで来る物体の速度に応じて、その対象物が発光または変色するように見えるようにすることができる。外装装置を取り外せば、対象物を元の状態に戻すことができる。たとえば、野球のグローブや捕手用防護マスクを対象物としてこの外装装置を装着することにより、飛んで来るボールの速度に応じて発光または変色するグローブや捕手用防護マスクを実現できる。外装装置を取り外せば、普通のグローブや捕手用防護マスクに戻すことができる。
【００１１】
また、請求項４の外装装置は、請求項３の外装装置において、前記装置本体には、表示装置が設けられており、前記制御ユニットは、前記センサーの出力信号に基づいて前記物体の速度を演算し、その演算結果に応じて前記発光体を駆動・制御するとともに前記表示装置に算出した速度を表示させることを特徴としている。
【００１２】
上記のように構成された請求項４の外装装置によれば、これを対象物に装着することにより、上記の発光または変色機能に加え、飛んで来る物体の速度を表示する機能をその対象物に持たせることができる。たとえば、野球のグローブや捕手用防護マスクを対象物としてこの外装装置を装着することにより、飛んで来るボールの速度を表示する機能をそのグローブや捕手用防護マスクに持たせることができる。
【００１３】
また、請求項５の外装装置は、請求項１の外装装置において、前記対象物は、ボール、グローブ、またはロープであることを特徴としている。ボール、グローブ、またはロープを対象物とすることにより、加わった力の大きさに応じて発光または変色する機能を備えたボール、グローブ、またはロープを実現できる。
【００１４】
また、請求項６の外装装置は、請求項２、３または４の外装装置において、前記対象物は、グローブまたは捕手用防護マスクであることを特徴としている。グローブまたは捕手用防護マスクを対象物とすることにより、加わった力の大きさに応じて発光または変色する機能や飛んで来た物体の速度に応じて発光または変色する機能、さらには飛んで来た物体の速度を表示する機能を備えたグローブまたは捕手用防護マスクを実現できる。
【００１５】
また、請求項７の外装装置は、請求項１〜６のいずれかの外装装置において、前記発光体は、前記装置本体の一部を構成していることを特徴としている。装置本体の一部を発光体で構成することにより、対象物そのものが発光または変色しているように見せやすくできる。
【００１６】
また、請求項８の外装装置は、請求項１〜７のいずれかの外装装置において、前記制御ユニットによる演算結果を前記対象物のＩＤ情報とともに外部の装置に送信するように構成したことを特徴としている。制御ユニットによる演算結果を対象物のＩＤ情報とともに外部の装置に送信することにより、その対象物に加わった力やその対象物に向かって飛んできた物体の速度などを、外装装置の外部で知ることができるようになる。
【発明の効果】
【００１７】
本発明の外装装置によれば、加わった力の大きさや飛来物体の速度に応じて発光または変色する機能を、この種の機能を持たない物品に後付けで持たせることができる。さらに、飛来物体の速度を表示する機能を、この種の機能を持たない物品に後付けで持たせることができる。
【発明を実施するための最良の形態】
【００１８】
以下、本発明にかかる外装装置の実施形態について説明する。
【第１の実施形態】
【００１９】
図１および図２は本発明にかかる外装装置の第１の実施形態を示すものであり、ボール１をボールカバー２で覆い、ボールカバー２に設けられた外部センサー４の出力信号に基づいてセンターユニット３の内部の発光素子１０を点灯または点滅させることにより、ボールカバー２を構成する側面発光ケーブル５を点灯または点滅させてボール１が発光または変色するように見せるように構成した外装装置を示している。
【００２０】
すなわち、第１の実施形態の外装装置は、ボール（対象物）１に着脱可能に外付け装着されるボールカバー（装置本体）２を備え、そのボールカバー２には、ボール１に加わった力（衝撃力）の大きさを検出するための外部センサー（センサー）４と、複数の側面発光ケーブル（発光体）５と、外部センサー４の出力信号に基づいて演算処理を行い、その演算処理の結果に応じて側面発光ケーブル５を駆動・制御（発光素子１０を点灯または点滅）する制御ユニット１２を内蔵したセンターユニット３とが設けられている。
【００２１】
ボールカバー２は、センターユニット３より延びた複数本のフレキシブルな側面発光ケーブル５と、側面発光ケーブル５に対して略直交させて設けられた複数本の伸縮自在なゴム帯６とで構成されている。側面発光ケーブル５とゴム帯６は交差部において接着剤等により互いに固定されている。すなわち、側面発光ケーブル５はボールカバー２の一部を構成している。また、センターユニット３および外部センサー４も、ボールカバー２の構成要素であると見ることもできる。すなわち、ボールカバー２は装置本体であると同時に外装装置そのものであるとも言える。
【００２２】
ボールカバー２は、図１（ａ）に示すようにボールカバー２の口をひろげて、その内部にボール１を取り込むことにより、ボール１に被着することができる。ボール１を取り込んだ後は、ゴム帯６の縮まる力により、図１（ｂ）に示すようにセンターユニット３と外部センサー４と側面発光ケーブル５とがボール１に密着した状態になる。
【００２３】
また、ボール１にボールカバー２を装着したものに、図１（ｂ）、図１（ｃ）に示すように半透明ゴムカバー７をゴムカバーの口８を拡張してかぶせて、防水性や耐損傷性を高め、また、ボール１のころがり性の劣化を抑えるようにしてもよい。
【００２４】
図２はセンターユニット３の内部の構造を示したものである。各側面発光ケーブル５の端面１０の付近には発光素子１１が各々設けられており、各発光素子１１を点灯または点滅させることにより各側面発光ケーブル５がその長さ方向全体に亘って点灯または点滅するようになっている。発光素子１１の点灯または点滅の制御は、１乃至複数の外部センサー４の出力信号を外部センサーリード線１４を介して制御ユニット１２に取り込むことにより、制御ユニット１２の内部で１乃至複数の外部センサー４の出力信号に基づいて行う。この例ではセンターユニット３内に電池１３を備え、この電池１３から各発光素子１１に電力を供給するようにしているが、図示しない圧電発電素子を用い、ボール１に加わる衝撃により圧電発電素子に発生する起電力を昇圧蓄電したものを各発光素子１１へ供給するように構成してもよい。
【００２５】
図３は強い衝撃が加わるとボールが発光する発光ボールのシステムブロック図を模式的に示したものである。外部センサー４は衝撃センサーまたは音圧センサーであり、サッカーボールやバレーボールを対象物とした場合、サッカーボールをキックしたりバレーボールをたたいたりした時の衝撃を起電力に変換するモジュールである。その衝撃により生じた起電力を外部センサーリード線１４を介して制御ユニット１２内部の制御回路１６に入力し、たとえば衝撃が強い場合のみ発光素子１１が点灯するようにするのであれば図示しない電圧比較部で外部センサーの発生起電力と基準電圧との比較を行い、衝撃が強いと判断できる場合は発光素子駆動回路１５を駆動して発光素子１１に電池１３の電力を通電できるように構成することによりボールに強い衝撃が加わった場合のみ発光するボールを実現できる。
【００２６】
図３の例では、強い衝撃が加わった場合のみ発光するシステムを示したが、衝撃の大きさに応じて、発光素子１１の発光色を変更したり、発光素子１１の代わりにまたは発光素子１１と並列に送信回路を設け、その送信回路を駆動して衝撃の強さやボールの固有ＩＤ番号等を通信信号に重ねて送信するようにしてもよい。また、衝撃センサーまたは音圧センサーを外部センサー１４としてセンターユニット３の外部に設けたが、センターユニット３の内部に内部センサーとして設定して、その内部センサーの信号に基づいて発光素子を駆動するようにしてもよい。また、複数のセンサーの信号の中で最も大きい信号が基準値を越えた場合に発光素子を駆動するように構成してもよいし、２個以上のセンサーからの信号が基準値を越えた場合に発光素子を駆動するように構成してもよい。
【００２７】
上記のように構成された第１の実施形態の外装装置によれば、これを普通のボール１に装着することにより、ボール１に加わった衝撃力の大きさに応じて（上記の例では、強い衝撃が加わった場合のみ）、ボール１が発光または変色するように見えるようにすることができる。外装装置を取り外せば、ボール１を元の普通のボールの状態に戻すことができる。
【００２８】
また、制御ユニット１２による演算結果をボール１のＩＤ情報とともに外部の装置に無線送信するように構成しておけば、ボール１に装着された外装装置から送信された情報を受信することにより、そのボール１に加わった衝撃力などを、そのボール１から離れた場所で知ることができるようになる。これにより、各ボール１に加わった衝撃の強さなどをデータとして個別に記録集計しやすくなる。このような集計データは、サッカーのキックやバレーボールのアタックなどの練習・指導に効果的に役立てることができる。また、ボールカバー２を外せば練習に使用したボール１を試合で使用することができる。また、外装装置はボール１に外付け装着されるので、電池の交換や破損部品の交換もシステムをボール内部に組み込む方式に比べて容易になる。
【第２の実施形態】
【００２９】
図４および図５は本発明にかかる外装装置の第２の実施形態であり、ロープ２０にロープカバー３５を装着し、ロープカバー３５に設けられた（この例ではロープカバー３５の一部を構成している）センターユニット２２の内部の感圧素子３０に加わる外力の増減すなわちロープ２０の張力の増減に応じて制御ユニット３２が発光素子１１の点灯または点滅を１乃至複数本の側面発光ケーブル５の端面付近で行い、センターユニット２２より延びた側面発光ケーブル５の１乃至複数箇所結束クリップ２１を接着または固着し、結束クリップ２１により側面発光ケーブル５をロープ２０に固定することによりロープ２０が側面発光ケーブル５によりカバーされ、ロープ２０の張力の増減に応じてロープ２０を点灯または点滅することができるようになる。
【００３０】
すなわち、第２の実施形態の外装装置は、ロープ（対象物）１に着脱可能に外付け装着されるロープカバー（装置本体）３５を備え、ロープカバー３５には、ロープ２０に加わった力（張力）の大きさを検出するための感圧素子（センサー）３０と、複数の側面発光ケーブル（発光体）５と、感圧素子３０の出力信号に基づいて演算処理を行い、その演算処理の結果に応じて側面発光ケーブル５を駆動・制御（発光素子１１を点灯または点滅）する制御回路（制御ユニット）３３を内蔵したセンターユニット２２とが設けられている。
【００３１】
図４（ｂ）は犬の首輪２５にロープ２０に装着したフック２６を接続していたものを犬の首輪２５とフック２６の間にロープカバー３５のセンターユニット２２と別のフック２７を介して接続した状態を示している。
【００３２】
図５はロープカバー３５のセンターユニット２２の部分の断面図であり、両端にロープかけ２３、２４を設け、一方のロープかけ２４はシャフト２８を介して感圧素子３０を押す構造となっている。図４（ｂ）の例では、ロープ２０に加わる張力が弱い場合は、スプリング２９の反発力でシャフト２８が感圧素子３０を押すことになるがロープ２０に加わる張力が強い場合はシャフト２８が感圧素子３０から離れ感圧素子に外力が加わらない状態になることを示している。
【００３３】
図６は、加えられる張力が増加した時にロープ２０が発光するように構成した発光ロープのシステム構成を模式的に示したブロック図である。制御回路３３は、感圧素子３０からの信号を常時監視し、その信号に基づいてロープ２０の張力が増加したと判断したならば、発光素子駆動回路３４を駆動して発光素子１１に電源部３１の電力を供給する。これにより、ロープ２０の張力が増加した時に側面発光ケーブル５が発光しロープ２０が発光しているように見えるようになる。
【００３４】
図６の例では、ロープ２０の張力が増加した時にロープ２０を発光させる例を示したが、感圧素子３０より発生する起電力を電源部３１に蓄電して、基準の電力が蓄電された時に発光素子１１への通電を開始するように制御回路３３を構成してもよい。また、ロープ２０の張力が増加した場合と減少した場合で発光素子１１の発光色を変更してロープ２０発光色を変更するように構成してもよい。また、発光素子１１の代わりにまたは発光素子１１と並列に送信回路を設け、その送信回路を駆動して張力の強さやロープ２０の固有ＩＤ番号等を通信信号に重ねて無線送信するようにしてもよい。
【００３５】
上記のように構成された第２の実施形態の外装装置によれば、これを普通のロープ２０に装着することにより、ロープ２０に加わった張力の大きさに応じて、ロープ２０が発光または変色するように見えるようにすることができる。外装装置を取り外せば、ロープ２０を元の普通のロープの状態に戻すことができる。外装装置はロープ２０に外付け装着されるので、ロープ２０自体になんら加工を加えることなく、加わる張力の状態に応じた発光機能をロープ２０に持たせることができる。したがって、このような付加機能を持たせたことでロープ２０の強度が弱くなることはない。また、ロープ２０の張力の変化を無線送信することにより飼い犬やつないでいる馬に異変が起きていることを室内にいても認識できるシステムを容易に構成できるようになる。
【００３６】
上記の例では、図４に示すように首輪２５とロープ２０との間の張力を検知するように構成したが、特開２００２−９０２３９号に示されるような線状体張力検出装置の機構を利用して張力を検出できるようにすれば、すでに首輪等に接続されているロープに、ロープを外さずに外装装置を装着して、張力の増減に応じて発光するロープを構成することができる。
上記の例では、ロープの張力の増減に応じてそのロープを発光させる例を示したが、張力を検出する信号のかわりに犬の首輪付近にてその犬の脈拍を検出し、その脈拍数に応じてロープを発光点滅させるように構成してもよい。
【第３の実施形態】
【００３７】
図９は本発明にかかる外装装置の第３の実施形態であり、野球の捕手用防御マスク（以下、防護マスクと記す）に装着されるマスクカバーに適用した例を示している。このマスクカバーを防護マスク１０１に装着すると、防護マスク１０１の中にセンターユニット１０２が配置され、防御マスク１０１の左右両側部に発光ケーブル１０５が配置される。センターユニット１０２の前面部には、球速を測定するための球速測定センサー１０３と球速表示ユニット１０４とが設けられている。球速測定センサー１０３の出力信号は、センターユニット１０２内のマイクロプロセッサ部１１３（図７参照）に入力される。そして、マイクロプロセッサ部１１３が球速測定センサー１０３の出力信号に基づいて発光ケーブル１０５の発光色を変更して防御マスク１０１の色を変化させたり、球速表示ユニット１０４に捕手が捕球するボールの球速を表示したりするシステム構成になっている。
【００３８】
すなわち、第３の実施形態の外装装置は、防護マスク（対象物）１０１に着脱可能に装着されるセンターユニット（装置本体）１０２を備え、センターユニット１０２には、防護マスク１０１またはその近傍に向かって飛んで来る物体の速度を検出するための球速測定センサー（センサー）１０３と、１乃至複数（この例では２本）の発光ケーブル（発光体）１０５と、球速測定センサー１０３の出力信号に基づいてボール（物体）の速度を演算し、その演算結果に応じて発光ケーブル１０５を駆動・制御するマイクロプロセッサ部（制御ユニット）１１３（図７参照）と、球速表示ユニット（表示装置）１０４とが設けられており、発光ケーブル１０５を発光または変色させることにより防護マスク１０１（この例では防護マスクの左右両側部）が発光または変色したように見せるとともに、捕手が捕球するボールの球速を球速表示ユニット１０４に表示するように構成されている。
【００３９】
図７は捕手用マスクカバー（外装装置）のシステムブロック図であり、球速測定センサー１０３からの信号はセンターユニット１０２内部のセンサー回路１１８を介してマイクロプロセッサ部１１３に送られる。マイクロプロセッサ部１１３は、図８のデータ処理手順に従って、球速表示ユニット駆動回路１１７を介して球速表示ユニット１０４に信号を送り、発光ケーブル駆動回路１１９を介して発光ケーブル１０５にその発光色を変化させる信号を送る。必要に応じてスイッチ部品１０７の信号をスイッチ信号入力回路１１４を介してマイクロプロセッサ部１１３に入力したり、マイクロプロセッサ部１１３よりスピーカ１０６を駆動する音声信号を音声出力回路１１５と増幅回路１１６を介して出力する構成としてもよい。
【００４０】
図８は捕手用マスクカバー（外装装置）のデータ処理手順を示したもので、処理Ｓ１０１で球速の測定を行い、処理Ｓ１０２でデータ出力処理をすることを示している。処理Ｓ１０２では、たとえば、図１０に示すように、球速がＶ１未満の場合は発光ケーブル１０５を発光させないようにし、球速がＶ１以上Ｖ２未満の場合は発光ケーブル１０５を緑色に発光させ、球速がＶ２以上Ｖ３未満の場合は発光ケーブル１０５をだいだい色に発光させ、球速がＶ３以上の場合は発光ケーブル１０５を赤色に発光させるといった具合に、球速に応じて異なった発光色で発光ケーブル１０５を発光させるようにデータ処理が行われる。
【００４１】
上記のように構成された第３の実施形態の捕手用マスクカバー（外装装置）によれば、これを防護マスク１０１に装着することにより、防護マスク１０１またはその近傍に向かって飛んで来るボールの速度に応じて、防護マスク１０１が発光または変色するように見えるようにすることができ、飛んで来るボールの速度を防護マスク１０１の前面部に表示することができる。投手が投じたボールの球速の速さを直ちに認識できるようになるので、投球練習の効率向上に役立たせることができる。そして、捕手用マスクカバーを取り外せば、元の普通の防護マスクに戻すことができる。捕手用マスクカバーは任意の防護マスクに装着できるので、防護マスクの選択の自由性を制限することがない。
【００４２】
上記第１乃至第３の実施形態では、側面発光ケーブルによりボール、ロープおよび防護マスクを発光させる構成例を示したが、有機ＥＬ素子を用いて発光させるように構成してもよい。
【００４３】
以下の記載内容は、先の出願（特願２００３−３６８８３１号）における表現形式を踏襲したものである。
［発明の名称］      外皮発光式の発光するボールまたはロープ、捕手用マスク
［技術分野］
【００４４】
この発明は、ボールやロープ等の対象物に外装して対象物に加わる外力の増減などの情報に応じて対象物に外装したものを発光させ、または、情報を送信するようにして、対象物が発光したり情報を送信したりできるようにする装置に関するものである。また、捕球するボールの速度を検出してボールの速度に応じて捕手用マスクに外装した発光素子の発光色を変色できる装置に関するものである。
［背景技術］
【００４５】
本発明の関連技術として、
特開平５−２２８００２号は、外力の入力に応じて靴やボール等の物の中に実装した装置により靴やボール等の物の一部が発光するようにしたことを開示したものであり、
特開２００１−２０４５０７号は、外力の入力により靴の中に実装した装置により靴の一部が発光するようにしたものであるが電源として圧電セラミックス素子に振動衝撃を加えて発電させる機能を用いたことを特徴にしたことを開示したものであり、
特開２００３−２６５６５１号は、中実のボールの中に衝撃を検知するセンサーと発信機を内蔵して受信機を用いてボールを見つけやすくすることを開示したものであり、
特表２００２−５２２１３０号は、中実のボールの中に衝撃又は無線信号によって発光する装置を内蔵してボールを見つけやすくすることを開示したものであり、
特開２００１−２１７２２号や特開平６−３３１８３０号は側面発光ケーブルの技術を開示したものであり、
特開２００１−２７９５８７号は蛍光剤を含有する熱可塑性ポリウレタンエラストマーにより発光するロープを構成したことを開示したものであり、
特開２００２−７５７号は縄跳びのロープの中に発光体を設けてロープが発光することを開示したものであり、
特開２００２−９０２３９号は屈曲させられたワイヤ が直線に戻ろうとする際の力を検出してワイヤの張力を検出することを開示したものであり、特開平７−３３３０８７号の従来の技術に記載されているようにロープの中間に荷重計を設置しロープの張力を検出する方法が知られており、
特表２０００−５０９８１号は、グローブまたはボールを捕捉する人の腕にドップラーレーダーセンサーを装着して飛来してくるボールの速度をドップラー効果を利用して求めることを開示したものである。
［特許文献１］特開平５−２２８００２号
［特許文献２］特開２００１−２０４５０７号
［特許文献３］特開２００３−２６５６５１号
［特許文献４］特表２００２−５２２１３０号
［特許文献５］特開２００１−２１７２２号
［特許文献６］特開平６−３３１８３０号
［特許文献７］特開２００１−２１７２２号
［特許文献８］特開２００１−２７９５８７号
［特許文献９］特開２００２−７５７号
［特許文献１０］特開２００２−９０２３９号
［特許文献１１］特開平７−３３３０８７号
［特許文献１２］特表２０００−５０９８１号
［発明の開示］
［発明が解決しようとする課題］
【００４６】
ボールの中に発光装置を内蔵する方法は、ボール本来のはずみ、ころがる機能を損なうことがあり、電池の交換が行い難い問題やボール自体の価格が高くなる問題やそのボールを公式のゲームで使用できない等の問題があり、
ロープの中に発光装置を内蔵する方法は、強度の確保に問題があり、発光ケーブルのみでロープを構成すると価格が高くなる問題があり、発光機能が損傷した場合ロープ全体を交換しなければならない問題があり、
捕手用マスクの中に発光装置を内蔵する方法は捕手用マスクの選択の自由性を制限することになり捕手用マスク自体の価格が高くなる問題がある。
【００４７】
本発明は上記の問題点を解決するためになされたものであり、発光または変色させようとする対象物そのものに発光または変色させるための装置を内蔵させるのではなく、対象物に外装または製品出荷後に装着するボールのカバーやロープのカバー等に発光または変色させるための装置を内蔵させ対象物そのものが発光または変色するように見えるようにできる装置を提供することを目的とする。
［課題を解決するための手段］
【００４８】
この目的を達成するために、本発明の請求項１に記載の対象物に外装または装着するカバーまたはケースまたは被服させる物であって、該対象物に外装または装着するカバーまたはケースまたは被服させる物に１乃至複数の信号を入力する入力手段と該入力手段から入力された信号に基づき演算処理を行う演算処理手段と該対象物に外装または装着するカバーまたはケースまたは被服させる物に配置された１乃至複数の側面発光ケーブルまたは有機ＥＬ素子等の発光素子と該演算処理手段の演算処理の結果に基づいて該１乃至複数の側面発光ケーブルまたは有機ＥＬ素子等の発光素子を発光または変色することにより該対象物が発光または変色したように見せる発光変色手段と該演算処理の結果および該対象物の固有情報を対象物の外部に出力する通信手段とを備えることを特徴としており、従って、対象物を発光させるために対象物を加工する必要がなく、発光させる機能を取りはずして使用することもでき、通信手段をそなえることにより対象物の外部で対象物の状態を知ることができるようになる。
【００４９】
また、請求項２に記載の前記対象物がボールであり前記入力手段により入力される信号がボールに加わる衝撃の強さであり前記発光素子が側面発光ケーブルまたは有機ＥＬであり、該側面発光ケーブルまたは有機ＥＬにより該ボールを外装するボールカバーを構成し該ボールに加わる衝撃の強さに応じて該側面発光ケーブルまたは有機ＥＬを発光または点滅させる機能を備えることを特徴としており、従って、ボールを加工することなく入力される信号によりボールを発光することができるようになり、外装するボールカバーを取り外せば通常のボールとしての使用も可能になる。
【００５０】
また、請求項３に記載の前記対象物がボールであり前記入力手段により入力される信号がボールに加わる衝撃の強さであり該ボールに加わる衝撃の強さとボールの固有ＩＤとを前記通信手段により出力する機能を備えることを特徴としており、従って、ボールの外部でボールに加わる衝撃の強さを知ることができるようになる。
【００５１】
また、請求項４に記載の前記対象物がロープであり前記入力手段により入力される信号がロープに加わる張力の強さであり前記発光素子が側面発光ケーブルまたは有機ＥＬであり、該側面発光ケーブルまたは有機ＥＬにより該ロープを外装するロープカバーを構成し該ロープに加わる張力の強さに応じて該側面発光ケーブルまたは有機ＥＬを発光または点滅させる機能を備えることを特徴としており、従って、ロープ自体を加工することなくロープの張力の強さに応じてロープを発光することができるようになるので、ロープの強度が損なうことがない。
【００５２】
また、請求項５に記載の前記対象物がロープであり前記入力手段により入力される信号がロープに加わる張力の強さであり該ロープに加わる張力の強さとロープの固有ＩＤとを前記通信手段により出力する機能を備えることを特徴としており、従って、ロープの外部でロープに加わる強度の強さの変化を知ることができるようになる。
【００５３】
また、請求項６に記載の前記対象物が防御マスクであり前記入力手段により入力される信号が前記防御マスクを着用している人または物体の近くに飛来してくる物体の速度であり、前記発光素子が側面発光ケーブルまたは有機ＥＬであり、該側面発光ケーブルまたは有機ＥＬにより該防御マスクを外装する防御マスクカバーを構成し該物体の速度に応じて該側面発光ケーブルまたは有機ＥＬを発光または点滅させる色を変化する機能と該物体の速度を表示する機能とを有することを特徴としており、従って、防御マスクを装着している人すなわち野球の捕手等に飛来してくるボールの球速に応じて防御マスクの発光色を変化させることにより投手が容易に投球内容を知ることができるようになる。
［発明の効果］
【００５４】
本発明によれば対象物に外装するカバーなどに発光または変色または外部と通信させるための装置を内蔵し、カバーを入力信号に基づいて発光または変色または外部と通信することができるようになり、対象物本来の機能を損なうこともなく、新たな対象物を製造することに伴う価格上昇もなく、また、発光または変色または外部と通信する機能を損なっても外装するカバーのみを交換するだけでよく、また電池の交換も容易にできるようになる利点がある。
［発明を実施するための最良の形態］
【００５５】
以下、この発明の入力信号にもとづいて対象物が発光または変色したように見せる発光変色手段を備え、または、外部に出力する手段を備えた外装または装着する物を具体化した実施の形態について説明する。
［実施例１］
【００５６】
図１および図２は本発明装置の第一の実施例であり、ボール１をボールカバー２でおおい、ボールカバー２を構成する外部センサー４または図示しないセンサーの信号に基づきセンターユニット３の内部の発光素子１０を点灯または点滅し、ボールカバー２を構成する側面発光ケーブル５を点灯または点滅しボール１が発光または変色するように見せる機構を示したものである。
【００５７】
図１（ａ）のボールカバー２はカバーのたての芯をセンターユニット３よりのびた１乃至複数本のフレキシブルな側面発光ケーブル５で構成し、カバーのよこの素材を１乃至複数本の伸縮自在なゴム帯６で構成し、カバーのたて芯の側面発光ケーブル５とカバーのよこの素材のゴム帯６とを接着剤等により固定し、ボールカバー２にボール１を取り込む時は、ボールカバー２の口をひろげてボール１を取り込み、図１（ｂ）に示すようにゴム帯６の縮まる力により、センターユニット３と外部センサー４と側面発光ケーブル５とがボール１に密着するように構成する。
【００５８】
また、図１（ｂ）のボール１にボールカバー２を装着したものに、図１（ｂ）、（ｃ）に示すように半透明ゴムカバー７をゴムカバーの口８を拡張してかぶせて、防水性や耐損傷性を高め、また、ボールのころがり性の劣化をおさえるようにしても良い。
【００５９】
図２はセンターユニット３の内部の構造を示したものであり、側面発光ケーブル５の端面１０の付近に発光素子１１を設け、発光素子１１を点灯または点滅することにより側面発光ケーブル５の長さ方向に発光するようにする。発光素子１１への電力の供給は図２の電池１３でもよく、図示しない圧電発電素子を用いボール１に加わる衝撃により発生する起電力を昇圧蓄電したものを供給してもよい。発光素子１１の点灯または点滅の制御は１乃至複数の外部センサー４の信号を外部センサーリード線１４を介して制御ユニット１２に取り込み、制御ユニット１２の内部で１乃至複数の外部センサー４の信号に基づいて行う。
【００６０】
図３は強い衝撃が加わるとボールが発光する発光ボールのシステムブロック図を模式的に示したものである。外部センサー４は衝撃センサーまたは音圧センサーであり、サッカーボールをキックしたり、バレーボールをたたいた時の衝撃を起電力に変換するモジュールであり、その衝撃により生じた起電力を外部センサーリード線１４を介して制御ユニット１２内部の制御回路１６に入力し、たとえば衝撃が強い場合のみ発光素子１１が点灯するようにするのであれば図示しない電圧比較部で外部センサーの発生起電力と基準電圧との比較を行い衝撃が強いと判断できる場合は発光素子駆動回路１５を駆動して発光素子１１に電池１３の電力を通電できるように構成することによりボールに強い衝撃が加わった場合のみ発光するボールを構成できる。
【００６１】
図３の例では、強い衝撃が加わった場合のみ発光するシステムを示したが、衝撃の大きさに応じて、発光素子１１の発光色を変更したり、発光素子１１の代わりにまたは発光素子１１と並列に図示しない送信回路をもうけその送信回路を駆動して衝撃の強さやボールの固有ＩＤ番号等を通信信号に重ねて送信するようにしてもよい。また、衝撃センサーまたは音圧センサーを外部センサー１４の部分にもうけたが、センターユニット３の内部に図示しない内部センサーとして設定して、その内部センサーの信号に基づいて発光素子を駆動するようにしてもよい。また、複数のセンサーの信号の中で最も大きい信号が基準値を越えた場合に発光素子を駆動するように構成してもよいし、２個以上のセンサーからの信号が基準値を越えた場合に発光素子を駆動するように構成してもよい。
【００６２】
実施例１の構成により、ボール自体になんら加工を加えることなしにボールに強い衝撃が加わった場合のみ発光するようになり、また、衝撃の強さを電波で送信して衝撃の強さをデータとして記録集計しやすくなり、サッカーのキックの練習やバレーボールのアタックの練習に効果的になるばかりでなくボールカバー２をはずすことによりボールは公式の試合で使用することができボールカバー２の電池の交換や破損部品の交換もシステムをボール内部に組み込む方式に比べて容易になる。
［実施例２］
【００６３】
図４および図５は本発明装置の第二の実施例であり、ロープ２０にロープカバー３５を装着し、ロープカバー３５を構成するロープカバーのセンターユニット２２内部の感圧素子３０に加わる外力の増減すなわちロープ２０の張力の増減に応じて制御ユニット３２が発光素子１１の点灯または点滅を１乃至複数本の側面発光ケーブル５の端面付近で行い、センターユニット２２よりのびた側面発光ケーブル５の１乃至複数箇所結束クリップ２１を接着または固着し、結束クリップ２１により側面発光ケーブル５をロープ２０に固定することによりロープ２０が側面発光ケーブル５によりカバーされ、ロープ２０の張力の増減に応じてロープ２０を点灯または点滅することができるようになる。
【００６４】
図４の（ｂ）は犬の首輪２５にロープ２０に装着したフック２６を接続していたものを犬の首輪２５とフック２６の間にロープカバーのセンターユニット２２と別のフック２７を介して接続した状態を示している。
【００６５】
図５はロープカバーのセンターユニット２２の断面図であり、両端にロープかけ２３、２４を設け、一方のロープかけ２４はシャフト２８を介して感圧素子３０を押す構造となっている。図４（ｂ）の例では、ロープ２０に加わる張力が弱い場合は、スプリング２９の反発力でシャフト２８が感圧素子３０を押すことになるがロープ２０に加わる張力が強い場合はシャフト２８が感圧素子３０から離れ感圧素子に外力が加わらない状態になることを示している。
【００６６】
図６は、ロープの張力が増加した時にロープ２０が発光する発光ロープのシステムブロック図を模式的に示したものである。感圧素子３０の信号により制御回路３３において、ロープ２０の張力が増加したと判断した時に発光素子駆動回路３４を駆動して発光素子１１に電源部３１の電力を通電できるように構成することにより、ロープ２０の張力が増加した時に側面発光ケーブル５が発光しロープ２０が発光するように構成できる。
【００６７】
図６の例では、ロープ２０の張力が増加した時にロープ２０を発光する例を示したが、感圧素子３０より発生する起電力を電源部３１に蓄電して、基準の電力が蓄電された時に発光素子１１への通電を開始するように制御回路３３を構成してもよい。また、ロープ２０の張力が増加した場合と減少した場合で発光素子１１の発光色を変更してロープ２０発光色を変更するように構成してもよい。また、発光素子１１の代わりにまたは発光素子１１と並列に図示しない送信回路をもうけその送信回路を駆動して張力の強さやロープ２０の固有ＩＤ番号等を通信信号に重ねて送信するようにしてもよい。
【００６８】
実施例２の構成により、ロープ自体になんら加工を加えることなしにロープに加わる張力の状態によりロープが発光するようになるのでロープの強度が弱くなることがなく、また、ロープの張力の変化を電波で送信することにより飼い犬やつないでいる馬に異変が起きていることを室内にいても認識できるシステムを容易に構成できるようになる。
【００６９】
実施例２では、図４に示すようにロープの間に張力を検知するように構成したが、特開２００２−９０２３９号に示されるような線状体張力検出装置の機構を利用して張力を検出できるようにすれば、すでに接続されているロープにロープをはずさずに張力の増減に応じて発光するロープを構成することができる。
【００７０】
実施例２では、ロープの張力の増減によりロープを発光する例を示したが、張力を検出する信号のかわりに犬の首輪付近より犬の脈拍を検出する信号を用いて犬の脈拍数に応じて、ロープを発光点滅するように構成してもよい。
［実施例３］
【００７１】
図９は本発明装置の第三の実施例であり、捕手用の防御マスク１０１の中にセンターユニット１０２を固定し、センターユニット１０２には球速を測定するための球速測定センサー１０３の信号を入力し球速測定センサー１０３の信号に基づき防御マスク１０１に装着した発光ケーブルの発光色を変更したり防御マスク１０１に装着した球速表示ユニット１０４に球速を表示する機能を備え、捕手が捕球するボールの球速を表示したり防御マスクの色を変化させたりできる捕手用マスクカバーの例である。
【００７２】
図７は捕手用マスクカバーのシステムブロック図であり、球速測定センサー１０３からの信号をセンターユニット１０２内部のセンサー回路１１８を介してマイクロプロセッサ部１１３に送りマイクロプロセッサ部１１３では図８のデータ処理手順に従って球速表示ユニット駆動回路１１７を介して球速表示ユニット１０４に信号を送り、発光ケーブル駆動回路を介して発光ケーブル１０５の発光色を変化させる信号を送り、必要に応じてスイッチ部品１０７の信号をスイッチ信号入力回路１１４を介してマイクロプロセッサ部１１３に入力したり、マイクロプロセッサ部１１３よりスピーカ１０６を駆動する音声信号を音声出力回路１１５と増幅回路１１６を介して出力する構成としてもよい。
【００７３】
図８は捕手用マスクカバーのデータ処理手順を示したもので、処理Ｓ１０１で球速の測定を行い、処理１０２でデータ出力処理をすることを示しており、処理１０２でのデータ出力処理としては、図１０の捕手用マスクカバーの発光例に示すように、球速がＶ１未満の場合は発光ケーブルを発光しないようにし、球速がＶ１以上Ｖ２未満の場合は発光ケーブルを緑色で発光し、球速がＶ２以上Ｖ３未満の場合は発光ケーブルをだいだい色で発光し、球速がＶ３以上の場合は発光ケーブルを赤色で発光するようにデータ処理してもよい。
【００７４】
実施例３の構成により捕手用防御マスクになんら加工を加えることなく捕球するボールの球速に応じて捕手用マスクの発光色を変更することができるようになり、捕手用マスクの選択の自由性を制限することなく投手が投じたボールの球速の速さを直ちに認識できるようになり投球練習の効率を高くすることができるようになる。
【００７５】
実施例１および実施例２および実施例３では側面発光ケーブルによりボールまたはロープが発光する例を示したが、有機ＥＬ素子を用いて発光するように構成してもよい。
【産業上の利用可能性】
【００７６】
上記実施形態以外にも、携帯電話を外装または装着する物自体に信号を入力する機能と有機ＥＬのような発光または発色素子で構成するようにして、たとえば、手のひらの温度に応じて携帯電話を外装する物の色を変更するようにしてもよいし、帽子または衣服を外装または装着する物に信号を入力する機能を設けて、帽子または衣服を外装するもの自体を有機ＥＬのような発光または発色素子で構成するようにして、たとえば、帽子または衣服の中の温度を入力して帽子または衣服の中の温度に応じて帽子または衣服を外装する物の色を、たとえば、帽子または衣服の中の温度が高ければ白くし、帽子の中の温度が低ければ黒くするように構成すれば頭や体の温度調整を自動化でき、あらたに携帯電話や帽子や衣服自体の構造を変更することなく対象物を変色することができるような用途にも適用できる。 
【図面の簡単な説明】
【００７７】
【図１】ボールを発光させるボールカバーの例
【図２】ボールカバーのセンターユニットの例
【図３】ボールカバーのシステムブロック図
【図４】ロープを発光させるロープカバーの例
【図５】ロープカバーのセンターユニットの断面図
【図６】ロープカバーのシステムブロック図
【図７】捕手用マスクカバーのシステムブロック図
【図８】捕手用マスクカバーのデータ処理手順
【図９】捕手用マスクカバーの例
【図１０】捕手用マスクカバーの発光例
【符号の説明】
【００７８】
１  ボール
２  ボールカバー
３  センターユニット
４  外部センサー
５  側面発光ケーブル
６  ゴム帯
７  半透明ゴムカバー
８  ゴムカバーの口
１０  側面発光ケーブル５の端面
１１  発光素子
１２  制御ユニット
１３  電池
１４  外部センサーリード線
１５  発光素子駆動回路
１６  制御回路
２０  ロープ
２１  結束クリップ
２２  ロープカバーのセンターユニット
２３  ロープかけ
２４  ロープかけ
２５  犬の首輪
２６  フック
２７  フック
２８  シャフト
２９  スプリング
３０  感圧素子
３１  電源部
３２  制御ユニット
３３  制御回路
３４  発光素子駆動回路
３５  ロープカバー
１０１  防御マスク
１０２  センターユニット
１０３  球速測定センサー
１０４  球速表示ユニット
１０５  発光ケーブル
１０６  スピーカ
１１３  マイクロプロセッサ部
１１４  スイッチ信号入力回路
１１５  音声出力回路
１１６  増幅回路
１１７  球速表示ユニット駆動回路
１１８  センサー回路
１１９  発光ケーブル駆動回路
図中、同一符号は同一または相当部分を示す。
【図１】
2005152619.tif 000003
【図２】
2005152619.tif 000004
【図３】
2005152619.tif 000005
【図４】
2005152619.tif 000006
【図５】
2005152619.tif 000007
【図６】
2005152619.tif 000008
【図７】
2005152619.tif 000009
【図８】
2005152619.tif 000010
【図９】
2005152619.tif 000011
【図１０】
2005152619.tif 000012